(57)【特許請求の範囲】
【請求項１】
吸込負圧を発生させる電動送風機と、
被掃除面に対向して前記吸込負圧の作用によって空気を吸い込む吸込口と、
前記吸込口よりも前記被掃除面から離間して前記吸込負圧の作用によって空気を吸い込む吸気口と、
前記吸気口から吸い込まれた空気によって回転されるエアタービンを有する駆動部と、
前記駆動部によって駆動される回転清掃体と、
前記被掃除面に対向し、前記回転清掃体の回転軸に略平行な方向に水平往復運動可能に設けられた往復動清掃体と、
前記エアタービンに回転一体の回転軸と、
前記回転軸の端部から突出して前記回転軸が回転すると前記回転軸の回転中心線回りに円運動するクランクピンと、
前記往復動清掃体に設けられ前記クランクピンが挿入されて前記クランクピンの円運動を前記往復動清掃体の水平往復運動に変換するヨーク部と、を備えることを特徴とする電気掃除機の吸込口体。
【請求項２】
前記エアタービンは扁平、かつ平面視で円形状を呈し、前記吸込口体の幅方向の略中央に配置され、
前記回転軸は前記エアタービンから下方に延び、
前記往復動清掃体は前記回転軸の下方に配置されることを特徴とする請求項１に記載の電気掃除機の吸込口体。
【請求項３】
前記電動送風機を収容した掃除機本体と、
前記電動送風機の吸込側に接続させて連通された請求項１または２に記載の電気掃除機の吸込口体とを備えることを特徴とする電気掃除機。
【発明の詳細な説明】
【技術分野】
【０００１】
本発明は、吸気口からの吸気風により回転可能なファンを有する駆動部を備えた電気掃除機の吸込口体およびこの吸込口体を備えた電気掃除機に関する。
【背景技術】
【０００２】
従来の電気掃除機の吸込口体として、特許文献１には、吸込口体に形成された吸気口から吸い込んだ吸気風により扁平型のエアタービンを回転運動させて、この回転運動によって吸込口体に設けられた回転ブラシを回転させる吸込口体が記載されている。この吸込口体は、上側に吸気口を有する横長のケース体を備えている。このケース体内には、回転ブラシを収容する回転清掃体室が前側に形成され、吸込口を下側に備えた吸込室が回転清掃体室の後方に形成され、かつ、エアタービンを収容し吸気口に連通する駆動室が回転清掃体室の後方上側に形成される。
【０００３】
また、特許文献２には、回転ブラシの後側の吸込口体の下側に設けられた起毛布を備え、この起毛布を吸込口体に収容された電磁石からなる駆動源によって吸込口体の前後方向に水平往復運動させる吸込口体が記載されている。
【特許文献１】特開平９−２４８２６０号公報
【特許文献２】特開平５−１８４４９２号公報
【発明の開示】
【発明が解決しようとする課題】
【０００４】
特許文献１、２に記載の従来の電気掃除機の吸込口体では、吸込口体に設けられた回転ブラシの回転軸は、吸込口体の進行方向に交わり、略直交する方向に構成される。すなわち、回転ブラシに設けられたブラシ毛は、回転ブラシが回転運動することによって、ほぼ吸込口体の進行方向である前後方向に沿って床面を掻くことになる。
【０００５】
ここで、例えばフローリングのような板材を複数組み合わせて構成される床面には継ぎ目や傷などの溝がある。この溝に沿う方向に吸込口体が移動されてブラシ毛が床面を掻いた場合には、溝に挟まった塵埃を容易に除去することができる。
【０００６】
一方、この溝に交わる方向に吸込口体が移動されてブラシ毛が床面を掻いた場合には、床面に当接されて屈曲されたブラシ毛が溝の奥に入り込んで挟まった塵埃に届くまで復元する時間よりも回転運動によって溝幅を通過する時間のほうが短く、ブラシ毛の先端が溝の奥まで届いて溝の奥に入り込んで挟まった塵埃を掻きだすことは困難であった。
【０００７】
すなわち、従来の電気掃除機の吸込口体では、溝に交わる方向に吸込口体が移動された場合には、溝に挟まった塵埃を掻きとって掃除することが困難であり、溝に沿う方向に再度、吸込口体を移動させて掃除する必要があった。
【０００８】
本発明は、吸込口体の進行方向に交わる方向に溝があった場合に、この溝に挟まった塵埃を容易に掻きだすと共に進行方向を変えることなく掃除することが可能な電気掃除機の吸込口体および電気掃除機を提案する。
【課題を解決するための手段】
【０００９】
前記の課題を解決するため本発明では、吸込負圧を発生させる電動送風機と、被掃除面に対向して前記吸込負圧の作用によって空気を吸い込む吸込口と、前記吸込口よりも前記被掃除面から離間して前記吸込負圧の作用によって空気を吸い込む吸気口と、前記吸気口から吸い込まれた空気によって回転されるエアタービンを有する駆動部と、前記駆動部によって駆動される回転清掃体と、前記被掃除面に対向し、前記回転清掃体の回転軸に略平行な方向に水平往復運動可能に設けられた往復動清掃体と、前記エアタービンに回転一体の回転軸と、前記回転軸の端部から突出して前記回転軸が回転すると前記回転軸の回転中心線回りに円運動するクランクピンと、
前記往復動清掃体に設けられ前記クランクピンが挿入されて前記クランクピンの円運動を前記往復動清掃体の水平往復運動に変換するヨーク部と、を備えることを特徴とする。
【発明の効果】
【００１０】
本発明によれば、吸込口体の進行方向に交わる方向に溝があった場合に、この溝に挟まった塵埃を容易に掻きだと共に進行方向を変えることなく掃除することが可能な電気掃除機の吸込口体および電気掃除機を提供することができる。
【発明を実施するための最良の形態】
【００１１】
本発明に係る電気掃除機の吸込口体および電気掃除機の実施形態について、図１から図５を参照して説明する。
【００１２】
図１は、本発明に係る電気掃除機の外観を示した図である。
【００１３】
図１に示すように、本発明に係る電気掃除機１は、前面に接続口２ａが形成された掃除機本体２と、接続口２ａに着脱可能に接続されて連通された湾曲可能な細長略円筒状の可撓性ホース体３と、可撓性ホース体３の先端に設けられた手元操作部４と、手元操作部４から基端側に向けて突設され、掃除する際に使用者が把持する把持部５と、把持部５に設けられ、電気掃除機１を複数の駆動モードに設定する設定ボタン６と、手元操作部４の先端に着脱可能に接続されて連通された伸縮可能な細長略円筒状の延長管７と、延長管７の先端に着脱可能に接続されて連通された床面等の被掃除面の塵埃を吸い込む吸込口体８とを備える。
【００１４】
掃除機本体２は、その内部に収容され、接続口２ａを介して吸込口体８に負圧を作用させる電動送風機９と、電動送風機９の生じた負圧によって空気とともに吸い込んだ塵埃を集塵する着脱可能な集塵パック（図示省略）と、この集塵パックに塵埃が捕集された空気を電動送風機９の排気風として掃除機本体２の外部に排気する排気口（図示省略）とを備える。
【００１５】
図２は、本発明に係る電気掃除機の吸込口体の一部を切り欠いて示した平面図である。
【００１６】
図２に示すように、電気掃除機１の吸込口体８は、横長のケース体１０と、ケース体１０の後部に設けられ電気掃除機１の延長管７に接続されて連通される接続管部１１とを備える。
【００１７】
なお、説明を容易にするために以下、図２に示す姿勢を基本姿勢とし、吸込口体８に延長管７が接続される接続管部１１を後部、これに対向する側を前部とし、さらに前部から後部を見た状態で上下および左右の方向説明を行う。
【００１８】
ケース体１０は、上側が開放された下ケース１３と、下ケース１３の上側を閉塞する上ケース１４と、下ケース１３と上ケース１４との間に設けられた中ケース１５と、ケース体１０の前面に設けられた前カバー１６と、下ケース１３と上ケース１４との間に挟持されて前カバー１６の側方からケース体１０の両側に亘って連続するバンパ（図示省略）とを備える。
【００１９】
ケース体１０の前側内部には、下ケース１３と前カバー１６とによって回転清掃体としての回転清掃体１９を収容した回転清掃体室２０が形成される。回転清掃体室２０は、ケース体１０の幅方向に回転清掃体１９の回転軸を保持する。
【００２０】
回転清掃体室２０の後方には、掃除機本体２に収容された電動送風機９の駆動によって生じた負圧によって空気およびこの空気に含まれた塵埃を吸い込む吸込室２２が形成される。吸込室２２には、回転清掃体室２０の幅方向の一側の後方、例えば右後方に、塵埃を吸い込む横長四角形状の吸込口２３が形成され連通される。吸込室２２の後部には、接続管部１１の上流側が連通される。
【００２１】
他方、回転清掃体室２０の幅方向の一側の後方、例えば左後方には、回転清掃体１９を回転駆動させる駆動部２４を収容した駆動室２５が形成される。駆動室２５と吸込室２２との間は気密が保たれる。吸込室２２に形成された吸込口２３と駆動室２５とは回転清掃体室２０の後方に並設される。
【００２２】
駆動部２４は、エアタービン２４ａと、エアタービン２４ａの回転を回転清掃体１９に伝達する伝達部２４ｂとを備える。
【００２３】
駆動室２５には、駆動部２４を構成する伝達部２４ｂが収容された伝達室２６が形成される。伝達室２６は吸込室２２に並設されて形成される。
【００２４】
さらに、回転清掃体室２０の幅方向の一側、例えば左側方には、回転清掃体１９の一端部が挿入され、駆動室２５に収容された駆動部２４から回転清掃体１９に駆動力を伝達させる伝達部２４ｂを収容した側部伝達室２７が形成される。
【００２５】
下ケース１３は、平面視で略横長四角形板状の下ケース本体２８と、ケース体１０の下部を形成し、下ケース本体２８の左側に着脱可能に設けられた側部伝達室２７の蓋体としての閉塞板２９と、下ケース本体２８の後部から凸字状に形成され、接続管部１１の前端側を覆う突出部３０とを備える。
【００２６】
下ケース本体２８と上ケース１４と中ケース１５とは、複数の螺子によって一体的に固定される。
【００２７】
下ケース本体２８は、前壁部３１と、側壁部３２とを有する。前壁部３１は、回転清掃体室２０に収容される回転清掃体１９の回転軸に略平行であり、かつ、下ケース本体２８の底面に略垂直に形成され、回転清掃体室２０の後方の壁部を形成する。側壁部３２は、前壁部３１の左右の側端部に位置して回転清掃体室２０の側方の壁部を形成する。左右の側壁部３２の間には、回転清掃体室２０を形成する前カバー１６が設けられた開口部３３が形成される。
【００２８】
すなわち、下ケース本体２８の前壁部３１と側壁部３２と開口部３３に設けられた前カバー１６によって回転清掃体室２０が形成される。
【００２９】
前壁部３１の左端部には、下ケース本体２８の後方に向けて延設される壁部と、この壁部の先端部から下ケース本体２８の右方に向けて延設される壁部とからなる後方区画壁部３４が設けられる。後方区画壁部３４と前壁部３１との間に駆動室２５が形成される。回転清掃体室２０を形成する側壁部３２と、駆動室２５を形成する後方区画壁部３４との左側には、側部伝達室２７が形成される。
【００３０】
突出部３０の上面には、接続管部１１の先端部が嵌合する嵌合溝３８が設けられている。
【００３１】
上ケース１４は、下ケース１３の形状に対応した横長四角形板状に形成される。
【００３２】
上ケース１４の右側後部には、駆動室２５に連通された複数の小径の丸孔から構成された吸気口３９が形成される。吸気口３９は、吸込口２３よりも上側かつケース体１０の前側以外の位置であれば、任意の位置に設けることができる。すなわち、吸気口３９は、ケース体１０の吸込口２３よりも被掃除面から離間された位置に設けられる。
【００３３】
中ケース１５は、駆動部２４を構成するエアタービン２４ａを駆動させる空気を吸い込む吸気口３９に連通された吸気室４０を形成する吸気室壁部４１と、吸気室壁部４１に一体的に形成され、上ケース１４に当接して駆動室２５に設けられたエアタービン２４ａを収容するタービン室４２を形成するタービン室壁部４３とを備える。
【００３４】
吸気室壁部４１は、平面視で横長四角形状に形成されて略水平方向に沿って位置し、エアタービン２４ａを駆動させる空気を吸い込む吸気口３９に連通された吸気室４０と、塵埃を含んだ空気を吸い込む吸込口２３に連通された吸込室２２とを上下に区画する。
【００３５】
タービン室壁部４３は、吸気口３９から吸気室４０に吸い込まれた空気（吸気風）をタービン室４２に導入してエアタービン２４ａを駆動させて接続管部１１へと流す導入風路４４を形成する。また、タービン室壁部４３は、エアタービン２４ａの外周に若干の間隙を介して離間させて形成された壁本体部４５を有する。壁本体部４５の上端部は上ケース１４に当接される。上ケース１４とタービン室壁部４３との間にタービン室４２が形成される。壁本体部４５の右前部には、吸気室壁部４１が連続して形成される。
【００３６】
駆動室２５のタービン室４２に収容されるエアタービン２４ａは、平面視で円形状の扁平なタービン本体４８と、タービン本体４８に一体的に設けられた回転軸４９とを有する。エアタービン２４ａは、吸込口体８のケース体１０の幅方向の略中央に位置する。
【００３７】
駆動室２５の伝達室２６に収容された伝達部２４ｂは、いわゆるギアボックスである。伝達部２４ｂは、ギア収容部としての伝達部本体５０と、伝達部本体５０から下方に突設され水平方向に回転する駆動プーリ５１と、伝達部本体５０から伝達室２６の左側に形成された側部伝達室２７に突設され垂直方向に回転する伝達プーリ５２と、エアタービン２４ａの回転軸４９と駆動プーリ５１との間に巻き掛けられたベルト５３と、伝達プーリ５２と回転清掃体１９の軸受５５との間に巻き掛けられた伝達ベルト５４とを有する。
【００３８】
伝達部本体５０内には、エアタービン２４ａからベルト５３を介して駆動プーリ５１に伝達された回転運動を、伝達プーリ５２の回転運動に変換する傘歯車（図示省略）などの動力伝達機構が設けられる。
【００３９】
伝達プーリ５２は、駆動プーリ５１から伝達されたエアタービン２４ａの回転運動を回転清掃体１９に伝達する。
【００４０】
前カバー１６は、若干の可撓性を有する合成樹脂などの材料で成形され、縦断面視で凸弧状に形成され、平面視で横長の前カバー本体５７と、前カバー本体５７の上端部から後方に向けて突設された突設部５８とを有する。また、前カバー１６は、上ケース１４の前端部に幅方向に沿って設けられた回動軸５９に軸支され、前後方向に回動可能に構成される。
【００４１】
突設部５８は、ケース体１０の幅方向に互いに離間され、平面視で四角形状に形成される。
【００４２】
回動軸５９は、例えば金属などの部材で形成される。回動軸５９の両端には、トーションばね（図示省略）が取り付けられ、前カバー１６は前方向に付勢される。
【００４３】
接続管部１１は、ケース体１０に対して周方向および上下方向に回動可能に軸支される。また、接続管部１１は、後端部である下流側が延長管７に接続されて連通される。すなわち、吸込口体８は、延長管７と可撓性ホース体３と掃除機本体２の接続口２ａとを介して掃除機本体２に収容された電動送風機９に連通される。
【００４４】
図３は、本発明に係る電気掃除機の吸込口体を示した縦断面図である。
【００４５】
図３に示すように、電気掃除機１の吸込口体８のケース体１０の前側内部には、下ケース１３に形成された前壁部３１と、側壁部３２と、前壁部３１の上端から略水平前方に延設された延出部６３と、前壁部３１と延出部６３と側壁部３２とによってケース体１０の前側から下側に亘って形成された開口部３３の前側を覆う前カバー１６とによって回転清掃体１９を収容した回転清掃体室２０が形成される。
【００４６】
回転清掃体１９は、複数の、例えば６つの取付溝部６５を有し、軸受５５を介して側壁部３２に軸支された略細長円柱状の軸体６７と、取付溝部６５に設けられ、回転清掃体１９の外周面を構成する清掃部６８とを備える。
【００４７】
取付溝部６５は、軸体６７の軸方向に沿って螺旋状に形成され、周方向に互いに離間される。
【００４８】
清掃部６８は、軸体６７の取付溝部６５に取り付けられる基端部である被取付部６９と、被取付部６９に複数本ずつ束ねられた状態で突設され、先端部が床面などの被掃除面Ｆに接触するブラシ毛７０とを備える。ブラシ毛７０は、回転清掃体１９の径方向に突出するように軸体６７に取り付けられる。
【００４９】
なお、清掃部６８はブラシ毛７０とブレ−ド（図示省略）との組み合わせ、またはブレードのみを備えるものであっても良い。さらに清掃部６８が設けられる取付溝部６５は軸体６７の長手軸方向に螺旋状に形成されていても良い。
【００５０】
下ケース本体２８に形成された回転清掃体室２０の後方には、下ケース本体２８の吸込口２３に連通された横長の風路としての吸込溝７３が形成される。
【００５１】
吸込溝７３の前端部と回転清掃体室２０の後端部との間には、回転清掃体室２０と吸込溝７３とを区画する区画壁部７４が形成される。区画壁部７４には、回転清掃体室２０と吸込溝７３とを連通させる連通路７６が形成される。したがって、連通路７６が形成された区画壁部７４は凸リブ状に形成される。
【００５２】
下ケース本体２８の吸込口２３と吸込溝７３との後方には、ケース体１０の幅長手方向に細長い清掃体としての起毛布７７が設けられる。起毛布７７は、下ケース１３の下面よりも若干下方に突出して形成される。また、起毛布７７は、下ケース１３の下面に形成された直動軸受溝７８内に、ケース体１０の幅長手方向に水平往復運動可能に保持されたスライド基部７９に設けられる。すなわち、起毛布７７は、被掃除面Ｆ上を吸込口体８の幅長手方向に水平往復運動可能に構成された往復動清掃体である。回転清掃体１９の回転軸と、起毛布７７の水平往復運動の方向とは略平行に構成される。
【００５３】
スライド基部７９の上面には伝達室２６内に突出させて設けられたヨーク部８０が形成される。なお、伝達室２６の底壁に、幅方向に長径を有する略楕円状の長穴（図示省略）を形成させて、伝達室２６の底壁の厚みよりも長い軸寸法のスペーサを、略楕円状の長穴の短径よりも大きい頭部を持つリベットや螺子などの締結部材（図示省略）によってスライド基部７９に挟持することで、直動軸受溝７８内にスライド基部７９をケース体１０の幅方向に水平往復運動可能に保持させることもできる。
【００５４】
ケース体１０の起毛布７７の後方には、接続管部１１の吸込側に連通された後部吸込口８３が形成される。
【００５５】
ケース体１０の後部に形成された突出部３０の下面には、突出部３０内部を区画する閉塞壁８４が設けられる。閉塞壁８４と床面などの被掃除面Ｆとの間には、後部吸込口８３の幅方向の両側から後方に亘って連続する後部清掃体としての後部起毛布８５が設けられる。後部吸込口８３は、平面視で起毛布７７と後部起毛布８５とによって周囲を囲まれる。
【００５６】
上ケース１４の前端部は、下方に湾曲して下ケース１３の延出部６３の前端部を覆う。
【００５７】
上ケース１４の幅方向の中央域の後部は、下ケース１３の突出部３０の基端部の上方に突出して形成され、接続管部１１の前端側の外周に嵌合する。
【００５８】
上ケース１４の下部には、中ケース１５に嵌合する平面視円環状のリブ８７が下方に向けて突設される。上ケース１４のリブ８７と中ケース１５とによって駆動室２５が形成される。
【００５９】
中ケース１５に形成された吸気室壁部４１は、平面視で横長四角形状に形成されて略水平方向に沿って位置し、タービン室壁部４３に隣接する部分の前端が導入風路４４に向けて下方に凹状に形成される。
【００６０】
中ケース１５に形成されたタービン室壁部４３は、略有底円筒状の壁本体部４５と、壁本体部４５の底部の中心から下方に突設され、エアタービン２４ａを回転可能に軸支する軸支部９０と、壁本体部４５の底部の軸支部９０の前方から突設され軸支部９０の周囲に沿って軸支部９０の後方の下端部に連続する導入風路４４を形成する風路区画部９２とを有する。
【００６１】
軸支部９０は、タービン室４２と伝達室２６とを連通する連通孔９３を中央に備え、略円筒状に形成される。軸支部９０の後側の下端部には、中ケースリブ９５が下方に向けて突設される。中ケースリブ９５の下端部は、下ケース１３から上方に向けて突設された下ケースリブ９６の上端部に嵌合する。中ケースリブ９５と下ケースリブ９６とによって後部吸込口８３と駆動室２５との気密が保たれる。
【００６２】
風路区画部９２は、軸支部９０の下端部から前上方に上凸弧状に傾斜してタービン室壁部４３の底部および吸気室壁部４１に連続する。風路区画部９２の前端部は、下ケース１３の前壁部３１の上端部に当接されて形成される。
【００６３】
駆動室２５のタービン室４２に収容されたエアタービン２４ａは、平面視で円形状の扁平なタービン本体４８と、このタービン本体４８と一体的に設けられた回転軸４９とを有する。
【００６４】
タービン本体４８は、円板状の天板１００と、この天板１００の下部に複数突設されたタービン翼１０１とを備える。タービン翼１０１は、タービン本体４８の中心軸側から天板１００の外周縁に向けて、周方向に湾曲した弧状に形成され、タービン本体４８の周方向に略等間隔に離間され、先端部が導入風路４４に臨んでいる。エアタービン２４ａは、導入風路４４を通過する空気流をタービン翼１０１に受けて回転させられる。
【００６５】
回転軸４９は、軸支部９０に挿通され、軸支部９０の上下に設けられた抜け止めリング１０２、１０３によって回動自在に保持される。抜け止めリング１０２、１０３は、軸支部９０内に形成された段差部１０４、１０５にそれぞれ係合される。回転軸４９の下端には、回転軸４９の中心軸から偏心した位置から下方に突出させてクランクピン１０８が形成される。
【００６６】
また、回転軸４９は、ベルト５３を介して伝達室２６に収容された伝達部本体５０の駆動プーリ５１にエアタービン２４ａの回転運動を伝達する。伝達部本体５０は、エアタービン２４ａからベルト５３を介して伝達された駆動プーリ５１の回転運動を、伝達プーリ５２の回転運動に変換する。伝達プーリ５２は、駆動プーリ５１から伝達されたエアタービン２４ａの回転運動を回転清掃体１９に伝達する。
【００６７】
回転軸４９に形成されたクランクピン１０８は、起毛布７７のスライド基部７９から伝達室２６内に突出させて設けられたヨーク部８０に挿入される。ヨーク部８０には、吸込口体８の前後方向に長辺が形成され、吸込口体８の幅方向にクランクピン１０８が挿入可能な短辺が形成された平断面視で略長方形状の孔部が形成され、この孔部にクランクピン１０８が挿入される。クランクピン１０８は、エアタービン２４ａの回転運動によって回転軸４９が回転すると回転軸４９の中心軸回りに円運動し、ヨーク部８０を介してスライド基部７９を吸込口体８の幅方向に水平往復運動させる。
【００６８】
前カバー１６は、前側に凸弧状に形成された前カバー本体５７と、前カバー本体５７の上端部から後方に向けて突設された突設部５８とを有し、上ケース１４の前端部に幅方向に沿って設けられた回動軸５９に前後方向に回動可能に軸支される。
【００６９】
前カバー本体５７は、回転清掃体室２０の前側壁を形成する。前カバー本体５７の下端部は、回転清掃体１９の軸体６７の中心軸の水平高さ位置まで延設される。前カバー本体５７の前部には、ケース体１０の幅方向に沿って断面凹弧状の凹部１１０が形成される。
【００７０】
前カバー本体５７の後面側には、前後方向に沿って補強用のカバーリブ１１１が設けられる。カバーリブ１１１は、ケース体１０の幅方向に互いに離間されて複数設けられる。
【００７１】
突設部５８の後端部は、下ケース１３に形成された延出部６３の先端上側に切り欠き形成された切欠嵌合凹部１１２に嵌合される。突設部５８の下部には、回動軸５９が嵌合される断面視円形状の嵌合凹部１１３が設けられる。嵌合凹部１１３の後端側の縁部には、後方に向けて上側に傾斜した傾斜面部１１４が設けられる。
【００７２】
回動軸５９は、突設部５８に設けられた嵌合凹部１１３に下側から嵌合されて一体的に取り付けられる。
【００７３】
図４は、本発明に係る電気掃除機の吸込口体を示した底面図である。
【００７４】
なお、説明を容易にするために以下、図４に示す吸込口体の底面図においては、図２に示した基本姿勢における左右を反転させて方向説明を行う。すなわち、図４に示す吸込口体の底面図における右方向は、図２に示した基本姿勢における左方向であり、他方、図４に示す吸込口体の底面図における左方向は、図２に示した基本姿勢における右方向である。
【００７５】
図４に示すように、吸込口体８のケース体１０の下ケース１３は、下ケース本体２８と、閉塞板２９とから構成される。
【００７６】
下ケース本体２８の前方には、回転清掃体室２０が形成される。
【００７７】
回転清掃体室２０に回転可能に設けられた回転清掃体１９は、軸部材としての略細長円柱状の軸体６７と、軸体６７の外周面に螺旋状に取り付けられた清掃部材としての複数、例えば６つの清掃部６８とを有する。
【００７８】
軸体６７の両端部は、回転清掃体室２０を形成する側壁部３２に設けられた円筒状の軸受５５によって軸支される。
【００７９】
軸受５５は、軸体６７の両端部に嵌着され、回転清掃体室２０を形成する側壁部３２に回転可能に軸支される。また、軸受５５は、ケース体１０内に挿入されており、右側の軸受５５は、閉塞板２９を取り外すと外部に露出する。
【００８０】
下ケース１３の被掃除面Ｆに対向する下面の左側前端部には、拭き取り部材としての前部起毛布１１６が設けられる。前部起毛布１１６の後方には、回転清掃体室２０とケース体１０の左側部とを連通させる連通溝１１７がケース体１０の幅方向に沿って設けられる。
【００８１】
回転清掃体室２０の後方には、下ケース本体２８の左側に偏倚された吸込口２３と、吸込口２３に連通された横長の風路としての吸込溝７３とが並設させて形成される。吸込溝７３は、駆動室２５の底面を形成するとともに閉塞板２９の近傍に亘って設けられる。下ケース本体２８の吸込口２３の左側には、ケース体１０の左側部と連通溝１１７とに連続する吸気溝１１８が幅方向に沿って設けられる。吸込口２３と吸込溝７３と吸気溝１１８とによって吸込部１１９が構成される。
【００８２】
吸込溝７３と吸込口２３との合計の幅寸法は、回転清掃体１９の軸寸法、もしくは回転清掃体室２０の幅方向の寸法と略等しく形成される。
【００８３】
吸込部１１９の前端部と回転清掃体室２０の後端部との間には、回転清掃体室２０と吸込部１１９とを区画する区画壁部７４が形成される。区画壁部７４には、回転清掃体室２０と吸込部１１９との下端部を連通する複数の、例えば５つの連通路７６がケース体１０の幅方向に離間されて形成される。連通路７６は、横長に形成され、回転清掃体室２０の後部と吸込口２３および吸込溝７３の前部との間に配設される。したがって、連通路７６が形成された区画壁部７４は、横長の凸リブ状に形成される。区画壁部７４によって床面などの被掃除面Ｆに敷かれた絨毯などの敷物が吸込口２３、吸込溝７３、あるいは連通路７６に貼り付くことを防止する。
【００８４】
下ケース本体２８の吸込部１１９の後方には、吸込口２３と吸込溝７３と合計の幅寸法より幅広の起毛布７７が設けられる。
【００８５】
起毛布７７の後方のケース体１０の幅方向の中央域には、接続管部１１の吸込側に連通された後部吸込口８３が形成される。
【００８６】
閉塞板２９は、下ケース本体２８の回転清掃体室２０の右側方の前端部から後端部に亘って長手状に連続して形成される。閉塞板２９は、装着部材１２１を回動させることによってケース体１０に対して着脱可能に設けられる。また、閉塞板２９は、側部伝達室２７の下方に取り付けられて上ケース１４との間で回転清掃体１９の右端部の軸受５５を着脱可能に収容する。
【００８７】
閉塞板２９の被掃除面Ｆに対向する下面の前端部、すなわち下ケース１３の右前端には前部起毛布１２２が設けられる。また、閉塞板２９を固定する装着部材１２１の前方には、回転清掃体室２０からケース体１０の右側部に連続して下端部が開放された連通溝１２３がケース体１０の幅方向に沿って形成される。
【００８８】
突出部３０は、下ケース本体２８の幅方向の中央域の後部から先端に向けて幅狭となるように突設され、突出部３０の先端部に車輪１２５の両端部を回転可能に軸支する切欠凹部１２６が形成される。突出部３０の下面の切欠凹部１２６の前側には、後部吸込口８３の両側に連続する後部清掃体としての後部起毛布８５が設けられる。後部吸込口８３は、起毛布７７と後部起毛布８５とによって周囲を囲まれる。
【００８９】
バンパ１２８は、下ケース１３と上ケース１４との間に挟持されて前カバー１６の側方からケース体１０の両側に亘って連続して形成され、例えば軟質の合成樹脂などが材料に用いられ、吸込口体８が壁などに衝突した際の緩衝用に設けられている。
【００９０】
図５は、本発明に係る電気掃除機の吸込口体に設けられた前側カバーの移動状態を示した縦断面図である。
【００９１】
図５に示すように、前カバー１６の下端部は、通常の状態で下ケース１３の前面よりも前方に突出している。前カバー１６の下端部は、吸込口体８の前側が、例えば壁などの被当接物としての障害物Ｏに衝突すると、前カバー１６を軸支する回動軸５９回りに回動する。
【００９２】
前カバー１６の前カバー本体５７が後方に回動した状態では、前カバー本体５７の下端部は、回転清掃体１９に近付いて、前カバー本体５７の後面が回転清掃体１９の清掃部６８のブラシ毛７０の先端部に当接する。
【００９３】
回動軸５９が嵌合する嵌合凹部１１３に設けられた傾斜面部１１４は、前カバー１６が後方に回動すると、延出部６３の前端部に摺接して回転清掃体室２０の上側の隙間を閉塞する。傾斜面部１１４は、前カバー１６が後方に最大に回動した状態で延出部６３の前面に当接することによって前カバー１６の後方回動角度を規制する。傾斜面部１１４の傾斜角度は、前カバー１６の回動量に応じてその適宜設定される。
【００９４】
次に、本実施形態に係る電気掃除機１の吸込口体８および電気掃除機１の掃除動作を説明する。
【００９５】
先ず、掃除機本体２の使用者は、掃除機本体２の接続口２ａに可撓性ホース体３を接続し、可撓性ホース体３に延長管７を接続し、延長管７に吸込口体８を接続する。
【００９６】
次に、掃除機本体２から電源コード（図示省略）を引き出して商用電源を供給するコンセント（図示省略）に接続する。
【００９７】
次に、把持部５を把持して設定ボタン６を操作する。そうすると、設定ボタン６によって設定された動作モードに応じて電動送風機９が所定の動作モードで駆動される。
【００９８】
次いで、作業者は、把持部５を把持して床面などの被掃除面Ｆ上で吸込口体８を前後に走行させて被掃除面Ｆの塵埃を吸い込む。
【００９９】
このとき、吸込口体８の下面が床面などの被掃除面Ｆに当接されると、吸込口体８の下面に設けられた起毛布７７と後部起毛布８５とが被掃除面Ｆに密着して後部吸込口８３の周囲が閉塞される。そうすると、吸込口体８の下面に形成された吸込口２３と、吸込口体８の上面に形成された吸気口３９とから空気が吸い込まれる。
【０１００】
吸込口２３に作用する吸い込み負圧は、吸込口体８の右側下面に形成された連通溝１１７と吸気溝１１８と、吸込口体８の左側下面に形成された連通溝１２３と、吸込口２３に並設された吸込溝７３に作用し、連通溝１１７、吸気溝１１８、連通溝１２３および吸込溝７３からも吸込口２３を介して塵埃を含んだ空気が掃除機本体２に吸い込まれる。
【０１０１】
他方、吸気口３９から吸い込まれた空気は、吸気室４０を介して導入風路４４に流入し、縮径する導入風路４４によって風速を速められ、接続管部１１に流入する際にエアタービン２４ａのタービン翼１０１に当たってエアタービン２４ａを回転させる。
【０１０２】
エアタービン２４ａの回転は、エアタービン２４ａに設けられた回転軸４９に巻き掛けられたベルト５３を介して伝達部２４ｂの駆動プーリ５１に伝達される。駆動プーリ５１の回転運動は、伝達部本体５０によって回転方向が変換されて伝達プーリ５２に伝達される。伝達プーリ５２の回転運動は、伝達ベルト５４を介して回転清掃体１９に伝達され、回転清掃体１９は所定の方向に回転する。
【０１０３】
回転清掃体１９が回転すると、回転清掃体１９のブラシ毛７０の先端は床面などの被掃除面Ｆに接触し、被掃除面Ｆ上の塵埃を掻き上げる。
【０１０４】
回転清掃体１９の回転によって掻き上げられた塵埃は、回転清掃体１９を収容する回転清掃体室２０の後方に形成された連通路７６を介して吸込溝７３および吸込口２３に空気とともに吸い込まれる。
【０１０５】
図６（Ａ１）から（Ｄ２）は、本発明に係る電気掃除機の吸込口体の起毛布の往復運動を説明する図である。
【０１０６】
なお、図６（Ａ１）、（Ｂ１）、（Ｃ１）および（Ｄ１）は吸込口体の部分的な平断面図であり、図６（Ａ２）、（Ｂ２）、（Ｃ２）および（Ｄ２）は吸込口体の部分的な横断面図である。
【０１０７】
図６に示すように、エアタービン２４ａの回転は、エアタービン２４ａの回転軸４９の下端に突出させて形成されたクランクピン１０８を、回転軸４９の中心軸（図中、一点差腺Ｃ）の回りに平面視で円運動させる。クランクピン１０８の円運動は、起毛布７７が設けられたスライド基部７９から突出させて設けられたヨーク部８０に形成された平面視で略長方形状の孔部を介してスライド基部７９を吸込口体８の幅方向（図中、実線矢Ｗ）に水平往復運動させる。スライド基部７９に設けられた起毛布７７は、吸込口体８幅方向に水平往復運動させられる。
【０１０８】
ここで、図６（Ａ１）および（Ａ２）、（Ｂ１）および（Ｂ２）、（Ｃ１）および（Ｃ２）、（Ｄ１）および（Ｄ２）の順に示すように、回転軸４９の中心軸のまわりに円運動するクランクピン１０８について回転軸４９の回転角度略９０度ごとに着目する。
【０１０９】
具体的には、図６（Ａ１）および（Ａ２）に示すように、クランクピン１０８が回転軸４９の中心軸から吸込口体８の前後方向の一方へ偏位され、ヨーク部８０の孔部の一方の短辺に配置されると、起毛布７７が設けられたスライド基部７９は下ケース１３における中立位置に配置される。
【０１１０】
ここから回転軸４９が時計回りに９０度回転すると、図６（Ｂ１）および（Ｂ２）に示すように、クランクピン１０８は回転軸４９の中心軸から吸込口体８の幅方向の一方へ偏位され、ヨーク部８０の孔部の一方の長辺の略中央に配置される。これに伴いヨーク部８０は吸込口体８の幅方向の一方へ偏位され、すなわちヨーク部８０が設けられたスライド基部７９とともに起毛布７７が下ケース１３の幅方向の一方へ変位される。
【０１１１】
次に回転軸４９が時計回りに９０度回転すると、図６（Ｃ１）および（Ｃ２）に示すように、クランクピン１０８は回転軸４９の中心軸から吸込口体８の前後方向の他方へ偏位され、ヨーク部８０の孔部の他方の短辺に配置される。これに伴いヨーク部８０は吸込口体８の幅方向の他方へ偏位され、すなわちヨーク部８０が設けられたスライド基部７９とともに起毛布７７が下ケース１３の中立位置に再度配置される。
【０１１２】
さらに回転軸４９が時計回りに９０度回転すると、図６（Ｄ１）および（Ｄ２）に示すように、クランクピン１０８は回転軸４９の中心軸から吸込口体８の幅方向の他方へ偏位され、ヨーク部８０の孔部の他方の長辺の略中央に配置される。これに伴いヨーク部８０は吸込口体８の幅方向の他方へ偏位され、すなわちヨーク部８０が設けられたスライド基部７９とともに起毛布７７が下ケース１３の幅方向の他方へ変位される。
【０１１３】
このように、クランクピン１０８の円運動は、ヨーク部８０が設けられたスライド基部７９を介して起毛布７７を吸込口体８の幅方向に水平往復運動させる。なお、回転軸４９が反時計回りに回転しても同様に起毛布７７を吸込口体８の幅方向に水平往復運動させることができる。
【０１１４】
起毛布７７が水平往復運動すると、起毛布７７の先端は吸込口体８の前後方向と交差する方向へ伸びた溝部に入り込み、この溝部の塵埃を掻き上げる。
【０１１５】
起毛布７７が水平往復運動によって掻き上げられた溝部の塵埃は、吸込溝７３および吸込口２３に空気とともに吸い込まれる。
【０１１６】
吸込口体８の前側が壁などの障害物Ｏに押し付けられると、前カバー１６の下端側が回動軸５９を中心に後方に回動する。そうすると、回転清掃体１９のブラシ毛７０が障害物Ｏと床面などの被掃除面Ｆとの際に接近するとともに、前カバー１６の前面は下ケース１３および上ケース１４の前面と略面一となる。前カバー１６の後面には、回転清掃体１９のブラシ毛７０の先端が当接し、回転清掃体１９の回転力の負荷となる。
【０１１７】
このとき、前カバー１６は、障害物Ｏとの当接位置より上側と下側とが略気密に区画され、障害物Ｏと回転清掃体室２０とで略閉空間が形成される。そうすると、ケース体１０の前側から空気の吸込風量が減少し、吸込口２３の吸込風量が減少するので、吸気口３９の空気の吸込風量が相対的に増加する。吸気口３９の空気の吸込風量が増加すると、エアタービン２４ａの回転力すなわち回転清掃体１９の回転力が増大し、障害物Ｏの際の塵埃を掻き上げる。
【０１１８】
前カバー１６の傾斜面部１１４は、下ケース１３の延出部６３の前端部に摺接し、回転清掃体室２０の上側の隙間を常時閉塞する。
【０１１９】
吸込口体８の前側を障害物Ｏから離すと、前カバー１６を軸支する回動軸５９に設けられたトーションばねの付勢力によって回動軸５９を中心として前カバー１６の下端側が前方に回動して復帰する。
【０１２０】
前カバー１６の突設部５８の後端部は、下ケース１３の延出部６３の切欠嵌合凹部１１２に嵌合するとともに、上ケース１４の前側下端部は、前カバー１６に当接されて上ケース１４と前カバー１６との隙間は閉塞される。
【０１２１】
次に、吸込口体８が床面である被掃除面Ｆから持ち上げられると、吸込口体８の下面に設けられた起毛布７７と後部起毛布８５とが被掃除面Ｆから離されて後部吸込口８３の周囲が開成される。後部吸込口８３が開成されると、吸込口２３および後部吸込口８３の双方から空気が吸い込まれ、吸気口３９からの吸込風量が相対的に減少する。吸気口３９の空気の吸込風量が減少すると、エアタービン２４ａ回転が停止する。すなわち、回転清掃体１９の回転運動と、起毛布７７の水平往復運動とが停止する。
【０１２２】
吸込口体８から空気とともに吸い込まれた塵埃は、延長管７と可撓性ホース体３とを順次に通過した後、掃除機本体２の接続口２ａに導かれて、この掃除機本体２内に収容された集塵パックに捕集される。
【０１２３】
塵埃が捕集された空気は、電動送風機９に吸気されて排気風となり、掃除機本体２の排気口から外部に排気される。
【０１２４】
本実施形態に係る吸込口体８では、吸込口２３に吸い込まれた塵埃を含んだ空気を接続管部１１に案内する吸込室２２と、駆動部２４のエアタービン２４ａの回転力を回転清掃体１９に伝達する伝達部２４ｂが収容された駆動室２５とが、回転清掃体１９が収容された回転清掃体室２０の後方に並設される。駆動室２５の底面の下部には、吸込口２３に連通され、下部が開放された吸込溝７３が形成される。
【０１２５】
また、本実施形態に係る吸込口体８では、吸込口体８の左側底部と吸込口２３とを連通させる吸気溝１１８が形成され、吸込口体８の左側底部と回転清掃体室２０とを連通させる連通溝１１７が形成され、吸込口体８の右側底部と回転清掃体室２０とを連通させる連通溝１２３が形成される。吸気溝１１８と連通溝１２３とは、吸込口体８の下方に向かって開放されて形成される。
【０１２６】
さらに、本実施形態に係る吸込口体８では、吸込口２３と吸込溝７３との後方には、合計の幅寸法より幅広であり、吸込口体８の幅方向に水平往復運動が可能な起毛布７７が設けられる。
【０１２７】
本実施形態に係る吸込口体８によれば、例えばフローリングのような板材を複数組み合わせて構成される床面などの溝のある被掃除面Ｆでは、この溝に沿う方向に吸込口体８が移動されて回転清掃体１９のブラシ毛７０が被掃除面Ｆを掻いた場合には、溝に挟まった塵埃を容易に除去することができる。また、この溝に交わる方向に吸込口体８が移動されてブラシ毛７０が被掃除面Ｆを掻いた場合には、被掃除面Ｆに当接したブラシ毛７０とは別に、吸込口体８の幅方向に水平往復運動が可能な起毛布７７が、溝の奥に入り込んで溝に挟まった塵埃を掻き出すことができる。すなわち、本実施形態の電気掃除機１の吸込口体８では、被掃除面Ｆに形成された溝に交わる方向に吸込口体８が移動されると、吸込口体８の幅方向に水平往復運動が可能な起毛布７７によって溝に挟まった塵埃を掻きとって掃除できる。
【０１２８】
また、吸込口体８を被掃除面Ｆに接地させた状態では閉塞され、吸込口体８を被掃除面Ｆから離間すると開放される後部吸込口８３をケース体１０の下面に設けることによって、吸込口体８を被掃除面Ｆに接地させる際にはケース体１０の下側では吸込口２３からのみ空気が吸い込まれるので、吸気口３９からの吸気風量が相対的に増加して、エアタービン２４ａを確実に回転させる。したがって、エアタービン２４ａによって駆動される回転清掃体１９の回転運動と、起毛布７７の水平往復運動とを維持できる。また、吸込口体８を被掃除面Ｆから離間させると、ケース体１０の下側で吸込口２３と後部吸込口８３とから空気が吸い込まれるので、吸気口３９からの吸気風量が相対的に減少してエアタービン２４ａの回転を確実に停止させ、回転清掃体１９の回転運動と起毛布７７の水平往復運動とを確実に防止できる。
【０１２９】
すなわち、本実施形態に係る吸込口体８および電気掃除機１によれば、吸込口体８の進行方向に交わる方向に溝があった場合に、この溝に挟まった塵埃を容易に掻きだして掃除することが可能である。
【０１３０】
また、電気掃除機１としては、キャニスタ型の電気掃除機１に限らず、吸込口体８が掃除機本体２の下面に直接形成されたアップライト型、あるいは、ハンディ型などの電気掃除機であっても対応させて用いることができる。
【図面の簡単な説明】
【０１３１】
【図１】本発明に係る電気掃除機の外観を示した図。
【図２】本発明に係る電気掃除機の吸込口体の一部を切り欠いて示した平面図。
【図３】本発明に係る電気掃除機の吸込口体を示した縦断面図。
【図４】本発明に係る電気掃除機の吸込口体を示した底面図。
【図５】本発明に係る電気掃除機の吸込口体に設けられた前側カバーの移動状態を示した縦断面図。
【図６】本発明に係る電気掃除機の吸込口体の起毛布の往復運動を説明する図であり、（Ａ１）、（Ｂ１）、（Ｃ１）および（Ｄ１）は吸込口体の部分的な平断面図、（Ａ２）、（Ｂ２）、（Ｃ２）および（Ｄ２）は吸込口体の部分的な横断面図。
【符号の説明】
【０１３２】
１  電気掃除機
２  掃除機本体
２ａ  接続口
３  可撓性ホース体
４  手元操作部
５  把持部
６  設定ボタン
７  延長管
８  吸込口体
９  電動送風機
１０  ケース体
１１  接続管部
１３  下ケース
１４  上ケース
１５  中ケース
１６  前カバー
１９  回転清掃体
２０  回転清掃体室
２２  吸込室
２３  吸込口
２４  駆動部
２４ａ  エアタービン
２４ｂ  伝達部
２５  駆動室
２６  伝達室
２７  側部伝達室
２８  下ケース本体
２９  閉塞板
３０  突出部
３１  前壁部
３２  側壁部
３３  開口部
３４  後方区画壁部
３８  嵌合溝
３９  吸気口
４０  吸気室
４１  吸気室壁部
４２  タービン室
４３  タービン室壁部
４４  導入風路
４５  壁本体部
４８  タービン本体
４９  回転軸
５０  伝達部本体
５１  駆動プーリ
５２  伝達プーリ
５３  ベルト
５４  伝達ベルト
５５  軸受
５７  前カバー本体
５８  突設部
５９  回動軸
６３  延出部
６５  取付溝部
６７  軸体
６８  清掃部
６９  被取付部
７０  ブラシ毛
７３  吸込溝
７４  区画壁部
７６  連通路
７７  起毛布
７８  直動軸受溝
７９  スライド基部
８０  ヨーク部
８３  後部吸込口
８４  閉塞壁
８５  後部起毛布
８７  リブ
９０  軸支部
９２  風路区画部
９３  連通孔
９５  中ケースリブ
９６  下ケースリブ
１００  天板
１０１  タービン翼
１０２  リング
１０３  リング
１０４  段差部
１０５  段差部
１０８  クランクピン
１１０  凹部
１１１  カバーリブ
１１２  切欠嵌合凹部
１１３  嵌合凹部
１１４  傾斜面部
１１６  前部起毛布
１１７  連通溝
１１８  吸気溝
１１９  吸込部
１２１  装着部材
１２２  前部起毛布
１２３  連通溝
１２５  車輪
１２６  切欠凹部
１２８  バンパ
【図１】
0005242179.tif 000002
【図２】
0005242179.tif 000003
【図３】
0005242179.tif 000004
【図４】
0005242179.tif 000005
【図５】
0005242179.tif 000006
【図６】
0005242179.tif 000007